【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
少なくとも一対のウエブ層を備えたウエブをボンディングするボンディングシステムであって、
第１の超音波ホーンと、
ギャップを介して前記第１の超音波ホーンから離隔し、前記ウエブの加工方向への前記ギャップを通る移動を許容する第１のアンビルであって、前記第１のアンビルは、前記加工方向に対して直角である交差加工方向に延在するとともに、前記加工方向に離間し、その間に凹部を有する一対のシール面を備える、第１のアンビルと、を備え、
前記一対のシール面のそれぞれは、表面上に形成された傾斜した歯部を備え、前記傾斜した歯部は、前記交差加工方向に後縁および前縁の両方の被覆を提供するように傾斜しており、
前記第１の超音波ホーンは、前記ウエブが前記ギャップを通って移動するときに、前記第１のアンビルと協働して、前記傾斜した歯部に対応する複数のボンディングポイントで、前記複数のウエブ層を超音波でボンディングすることを特徴とするボンディングシステム。
【請求項２】
前記一対のシール面は、
第１の列に配置された前記傾斜した歯部の、第１の部分を有する第１のシール面と、
第２の列に配置された前記傾斜した歯部の、第２の部分を有する第２のシール面と、を備えることを特徴とする請求項１に記載のボンディングシステム。
【請求項３】
前記傾斜した歯部は、前記第２の列の前記傾斜した歯部が前記第１の列の傾斜した歯部の間のギャップを埋めるような角度で、前記加工方向に傾斜していることを特徴とする請求項２に記載のボンディングシステム。
【請求項４】
前記第１の超音波ホーンと前記第１のアンビルとの間の前記ギャップを通って移動される前記ウエブは、使い捨て下着の複数の空白部分を一般的に画定する連続するウエブを含み、
前記超音波ホーンとともに前記一対のシール面の機能を介して形成される前記複数のボンディングポイントは、第１の使い捨て下着空白部分の外縁に隣接する第１の側のシーム部と、前記加工方向に前記第１の側のシーム部から離隔し、第２の使い捨て下着空白部分の外縁に隣接する第２の側のシーム部と、を含み、前記第１の使い捨て下着空白部分の前記外縁、および、前記第２の使い捨て下着空白部分の前記外縁は、互いに隣接した前記第１の側のシーム部および前記第２の側のシーム部を有することを特徴とする請求項１に記載のボンディングシステム。
【請求項５】
第２の超音波ホーンと、
ギャップを介して前記第２の超音波ホーンから離隔し、前記ウエブの加工方向への前記ギャップを通る移動を許容する第２のアンビルであって、前記第２のアンビルは、交差加工方向に延在するとともに、前記加工方向に離隔し、その間に凹部を有する別の一対のシール面を備える、第２のアンビルと、を備え、
前記別の一対のシール面のそれぞれは、表面上に形成された傾斜した歯部を備え、前記傾斜した歯部は、前記交差加工方向に後縁および前縁の両方の被覆を提供するように傾斜しており、
前記第２の超音波ホーンは、前記ウエブが前記ギャップを通って移動するときに、前記第２のアンビルと協働して、前記別の一対のシール面に対応する別の複数のボンディングポイントで、前記複数のウエブ層を超音波でボンディングすることを特徴とする請求項４に記載のボンディングシステム。
【請求項６】
前記第１の超音波ホーンおよび前記第１のアンビルの対と、前記第２の超音波ホーンおよび前記第２のアンビルの対の間の距離を選択的に制御するように、前記第１の超音波ホーンおよび第１のアンビルの対、または、前記第２の超音波ホーンおよび第２のアンビルの対のうち１つを加工方向に直線状に移動させるように構成された駆動装置をさらに備えること特徴とする請求項５に記載のボンディングシステム。
【請求項７】
前記駆動装置は、前記使い捨て下着の複数の空白部分のサイズに基づいた所定の距離によって、前記第１の超音波ホーンおよび第１のアンビルの対と、前記第２の超音波ホーンおよび第２のアンビルの対を離隔させるように構成されることを特徴とする請求項６に記載のボンディングシステム。
【請求項８】
前記アンビルは、アンビル挿入部を含む回転式のアンビルを備え、前記アンビル挿入部は前記一対のシール面を含むことを特徴とする請求項１に記載のボンディングシステム。
【請求項９】
前記第１の超音波ホーンおよび前記第１のアンビルの間の前記ギャップを通って運搬されるように、前記ウエブを前記加工方向に移動させる運搬手段をさらに備えることを特徴とする請求項８に記載のボンディングシステム。
【請求項１０】
前記運搬手段は、前記ウエブを前記加工方向に一定の速度で移動させることを特徴とする請求項９に記載のボンディングシステム。
【請求項１１】
複数のウエブ層を含む連続ウエブをボンディングする方法であって、
加工方向に移動速度で移動する連続ウエブを提供するステップと、
前記連続ウエブの経路に沿って、アンビルおよび超音波ホーンを提供するステップであって、前記アンビルおよび前記超音波ホーンは、前記連続ウエブの両側に位置し、前記連続ウエブが通過するギャップを提供するように離隔している、ステップと、
前記連続ウエブが前記ギャップを通過して移動するとき、前記アンビルと共に機能する前記超音波ホーンを介して、複数のボンディングポイントで、前記複数のウエブ層を超音波でボンディングするステップと、を含み、
複数のボンディングポイントで、前記複数のウエブ層を超音波でボンディングするステップは、前記加工方向に対して直角な交差加工方向に延在するとともに、前記加工方向に互いに離間し、その間に凹部を有する前記アンビル上の一対のシール面を介して、前記複数のウエブ層をボンディングすることを含み、前記一対のシール面のそれぞれは、前記交差加工方向に後縁および前縁の両方の被覆を提供するように傾斜して表面上に形成された、傾斜した歯部の列を備え、前記複数のボンディングポイントは前記傾斜した歯部の位置と対応することを特徴とする方法。
【請求項１２】
前記連続ウエブは、使い捨て下着の複数の空白部分を一般的に画定し、前記複数のボンディングポイントは、第１の使い捨て下着空白部分の外縁に隣接する第１の側のシーム部と、前記加工方向に前記第１の側のシーム部から離隔し、第２の使い捨て下着空白部分の外縁に隣接する第２の側のシーム部とを形成し、前記第１の使い捨て下着空白部分の外縁、および、前記第２の使い捨て下着空白部分の外縁は、互いに隣接した前記第１の側のシーム部および前記第２の側のシーム部を有することを特徴とする請求項１１に記載の方法。
【請求項１３】
前記一対のシール面の第１のシール面は、前記超音波ホーンと共に機能して前記第１の側のシーム部を形成し、前記一対のシール面の第２のシール面は、前記超音波ホーンと共に機能して前記第２の側のシーム部を形成することを特徴とする請求項１２に記載の方法。
【請求項１４】
前記傾斜した歯部には、前記第２のシール面上の前記傾斜した歯部が、前記加工方向に、前記第１のシール面上の傾斜した歯部の間のギャップを埋めるような角度で、前記加工方向に傾斜していることを特徴とする請求項１３に記載の方法。
【請求項１５】
前記一対のシール面は、前記アンビルに固定されたアンビル挿入部上に形成されることを特徴とする請求項１３に記載の方法。
【請求項１６】
前記アンビルは、１または複数のアンビル挿入部が固定された回転式のアンビルを備え、前記連続ウエブは、前記加工方向に一定速度で移動することを特徴とする請求項１５に記載の方法。
【請求項１７】
前記アンビルおよび前記超音波ホーンは、第１のアンビルおよび第１の超音波ホーンを備え、前記方法は、
前記連続ウエブの経路に沿って、および、前記第１のアンビルおよび前記第１の超音波ホーンから下流に、第２のアンビルおよび第２の超音波ホーンを提供するステップと、
前記第２のアンビルと共に機能する前記第２の超音波ホーンを介して、複数のボンディングポイントで、前記複数のウエブ層を超音波でボンディングするステップであって、前記複数のウエブ層は、交差加工方向に延在するとともに、前記加工方向に互いに離間し、その間に凹部を有する、前記第２のアンビル上の別の一対のシール面を介してボンディングされ、前記一対のシール面のそれぞれは、前記交差加工方向に後縁および前縁の両方の被覆を提供するように傾斜して表面に形成された、傾斜した歯部の列を備え、前記複数のボンディングポイントは前記傾斜した歯部の位置と対応している、ステップと、
を含み、
前記複数のボンディングポイントは、前記使い捨て下着の第２の空白部分の対向する外縁に隣接する第３の側のシーム部、および、前記第３の側のシーム部から前記加工方向に離隔し、第３の使い捨て下着空白部分の外縁に隣接する第４の側のシーム部を形成することを特徴とする請求項１２に記載の方法。  
【請求項１８】
前記使い捨て下着の複数の空白部分のサイズに基づいた所定の距離によって、前記第１の超音波ホーンと第１のアンビルを、前記第２の超音波ホーンと第２のアンビルから、前記加工方向に離隔させるステップをさらに含むことを特徴とする請求項１７に記載の方法。